(57)【要約】【課題】  表示中の画像をプリント出力可能で、かつ画像の一部を簡便に選択して出力可能なプリントシステム提供する。【解決手段】  画像内の少なくとも１つの領域が特定領域として指定されている画像データを再生し、表示手段に表示可能なプリントシステムであって、画像データを再生し、特定領域を表す指示表示６０４、６０５、６０６とともに画像データを表示し、選択された特定領域に対応する画像データをプリント出力する。【選択図】  図６
2006238458.tif 000002
【特許請求の範囲】
【請求項１】
画像データを記憶する記憶媒体から画像データを再生する再生手段と、
前記再生手段で再生した画像データを表示装置に表示させる表示制御手段であって、再生された画像データ中に特定領域が複数ある場合に、表示されている画像中に複数の前記特定領域を認識可能に表示する表示制御手段と、
複数の前記特定領域のうち、出力すべき特定領域を選択する選択手段と、
前記選択手段で選択された特定領域のデータをプリント出力する出力手段とを有することを特徴とするプリントシステム。
【請求項２】
前記選択手段は、前記記憶媒体に記憶されている複数の画像データから、前記表示装置に表示させる画像データを選択するためにも利用されることを特徴とする請求項１に記載のプリントシステム。
【請求項３】
前記表示制御手段は、前記表示装置に表示されている画像が出力対象として設定されたことに応じて、前記特定領域を認識可能に表示させることを特徴とする請求項１又は２に記載のプリントシステム。
【請求項４】
前記選択手段に対する操作により、再生された前記画像データ全体を出力対象として選択可能であることを特徴とする請求項１乃至３のいずれか１項に記載のプリントシステム。
【請求項５】
前記特定領域は、前記画像データに予め設定されていることを特徴とする請求項１乃至４のいずれか１項に記載のプリントシステム。
【請求項６】
画像データを記憶する記憶媒体から画像データを再生する再生工程と、
前記再生工程で再生した画像データを表示装置に表示させる表示制御工程であって、再生された画像データ中に特定領域が複数ある場合に、表示されている画像中に複数の前記特定領域を認識可能に表示する表示制御工程と、
複数の前記特定領域のうち、出力すべき特定領域を選択する選択工程と、
前記選択工程で選択された特定領域のデータをプリント出力する出力工程とを有することを特徴とするプリント方法。
【請求項７】
前記選択工程は、前記記憶媒体に記憶されている複数の画像データから、前記表示装置に表示させる画像データを選択するためにも利用されることを特徴とする請求項６に記載のプリント方法。
【請求項８】
前記表示制御工程は、前記表示装置に表示されている画像が出力対象として設定されたことに応じて、前記特定領域を認識可能に表示させることを特徴とする請求項６又は７に記載のプリント方法。
【請求項９】
前記選択工程に対する操作により、再生された前記画像データ全体を出力対象として選択可能であることを特徴とする請求項６乃至８のいずれか１項に記載のプリント方法。
【請求項１０】
前記特定領域は、前記画像データに予め設定されていることを特徴とする請求項６乃至９のいずれか１項に記載のプリント方法。
【発明の詳細な説明】
【技術分野】
【０００１】
本発明は記録された画像データをプリントするプリントシステム及びプリント方法に関する。
【背景技術】
【０００２】
デジタル（スチル）カメラやデジタルビデオカメラなどの電子撮像装置は、撮影時のファインダーとして、さらに撮影した画像の観賞用モニタとして利用可能な表示装置を有するのが一般的である。表示装置としては通常液晶ディスプレイ（ＬＣＤ）が利用されている。例えば静止画像を鑑賞する際の再生方法には、画像を１コマずつ順に表示する方法や、縮小した画像を１つの画面に並べて複数表示する方法、いわゆるサムネイル表示がある。
【０００３】
一方、撮像装置本体の小型化の影響を受け、表示装置の画面サイズも小型であるものが多く、多人数での同時鑑賞には向かないことがよく指摘される。このことを鑑み、主にテレビジョン装置での鑑賞を念頭においた映像出力端子を備えた撮像装置も一般的である。
【０００４】
さらに、撮像装置は、パーソナルコンピュータ等の外部機器へ、撮像した画像を出力するためのデータ出力端子（インタフェース）を一般に有している。また、データ出力端子を用いて印刷装置に直接画像を転送し、印刷を行ういわゆるダイレクトプリント機能も知られている。データ出力端子（インタフェース）としては、高速なシリアルインターフェイス（ＵＳＢ(Universal Serial Bus)が代表的である）が採用されていることが多い。
【０００５】
以上のように、電子撮像装置は撮影した画像を何らかの形で外部へ出力する機構を備えているのが普通である。そして、表示装置に表示された画像を、キーやボタン、タッチパネル等を有する操作部を用いて選択することにより、外部に出力する画像を選択可能な電子撮像装置も知られている。
【０００６】
【特許文献１】特開２０００−３５８１８３
【発明の開示】
【発明が解決しようとする課題】
【０００７】
昨今の高画素化されたデジタルカメラなどでは高精彩な画像が撮影できるので、画像の一部分を拡大して鑑賞することも実用に足りるようになり、このような拡大表示機能を有する撮像装置が存在する。そして、従来、電子撮像装置から外部機器へ出力される画像は、電子撮像装置の表示装置に表示されている画像と同一であることが通常である。従って、撮像装置の表示装置で拡大表示（画像の一部の表示）を行うと、接続されたテレビやプリンタ等の外部機器に出力される画像も、撮像装置の表示装置と同様、画像の拡大表示された部分となる。
【０００８】
そのため、この拡大表示機能を利用することで、画像中のある領域のみをプリント出力することが可能になる。しかし、拡大場所（表示部分）を移動したい場合には、一旦画像全体を表示する状態に戻し、再度所望の拡大箇所を選択し直すか、例えば撮像装置の操作部を用い、勘を頼りに手探りで拡大箇所を移動させるといった操作が必要で、煩雑である。例えば画像をプレゼンテーションに利用する場合では、鑑賞者のリクエストに応じて即座に画像の特定箇所を示さねばならない場面があるが、そのような時にこの煩雑な操作は不都合である。
【０００９】
本発明はこのような従来技術の問題点に鑑みなされたものであり、その目的は、表示中の画像をプリント出力可能で、かつ画像の一部を簡便に選択してプリント出力可能なプリントシステム及びプリント方法を提供することにある。
【課題を解決するための手段】
【００１０】
上述の目的を達成するため、本発明によるプリントシステムは、画像データを記憶する記憶媒体から画像データを再生する再生手段と、再生手段で再生した画像データを表示装置に表示させる表示制御手段であって、再生された画像データ中に特定領域が複数ある場合に、表示されている画像中に複数の特定領域を認識可能に表示する表示制御手段と、複数の特定領域のうち、出力すべき特定領域を選択する選択手段と、選択手段で選択された特定領域のデータをプリント出力する出力手段とを有することを特徴とする。
【００１１】
また、上述の目的は、画像データを記憶する記憶媒体から画像データを再生する再生工程と、再生工程で再生した画像データを表示装置に表示させる表示制御工程であって、再生された画像データ中に特定領域が複数ある場合に、表示されている画像中に複数の特定領域を認識可能に表示する表示制御工程と、複数の特定領域のうち、出力すべき特定領域を選択する選択工程と、選択工程で選択された特定領域のデータをプリント出力する出力工程とを有することを特徴とする本発明のプリント方法によっても達成される。
【発明の効果】
【００１２】
以上説明したように、本発明によれば、画像内に指定された領域を表す情報とともに画像を表示し、選択された領域の画像データをプリント出力することにより、画像全体を表示した状態で画像の一部をプリント出力することが可能になる。
【発明を実施するための最良の形態】
【００１３】
以下、添付図面を参照して本発明をその好適な実施形態に基づき詳細に説明する。なお、以下の実施形態においては、デジタルスチルカメラ（動画撮影可能なものを含む）に本発明を適用した場合を説明するが、本発明は静止画撮影可能なデジタルビデオカメラはもとより、メモリカードに記録された画像データを読み出し、再生表示可能な機能を有するプリンタなど、画像データの再生表示機能を有する任意の装置に対して適用可能である。
【００１４】
図１は本実施形態に係るデジタルカメラ１０１の正面外観例を、図２は同デジタルカメラ１０１の背面外観例をそれぞれ示す図である。デジタルカメラ１０１は、レンズ１０２、シャッターボタン１０３、メモリーカード格納部２０１、ＬＣＤモニタ２０２、光学ファインダー部２０３、外部出力端子部１０４、ストロボ部１０５、撮影／再生切替スイッチ２０４及び操作ボタン群２１０を備える。
【００１５】
操作ボタン群２１０は複数のボタンから構成される。撮影／再生切替スイッチ２０４によって再生モードに切り替えられると、後述する画像選択に用いる送りボタン（順送りボタン２０５と逆送りボタン２０６とで一対である）と、選択確定のための確定ボタン２０７などとして機能する。これらボタンは撮影モードでは、例えば撮影モードの切り替えや連射切り替えといった撮影機能のスイッチとして機能する。
【００１６】
図３はデジタルカメラ１０１と外部機器の一例としてのカラープリンタ３０１とを接続した状態の外観例を示す図である。本実施形態において、デジタルカメラ１０１の外部出力端子部１０４はＵＳＢ規格に準拠しており、両者はＵＳＢケーブル３０２にて接続されている。
【００１７】
図４は図３の状態に対応したデジタルカメラ１０１とカラープリンタ３０１の機能構成を表すブロック図である。
【００１８】
本実施形態において、デジタルカメラ１０１は、レンズ１０２を含む撮像部１０２０で撮像され、信号化された映像情報に対し、カメラ信号処理部４０１で所定の処理を施す。その後、圧縮／伸長回路４０２にてＪＰＥＧ２０００形式の画像ファイルに変換・圧縮し、記録再生部４０３での処理を経て記録媒体の一例としてのメモリーカード４０４に記録する。再生時には、メモリーカード４０４に記録された画像を記録再生処理部４０３が読み出し、圧縮／伸長回路４０２にて伸長してＲＡＭ４０５に格納する。そして、ＲＡＭ４０５に格納された画像はキャラクタジェネレータ４０８が生成するキャラクタと合成してＬＣＤモニタ２０２に表示する。また、後述するように、ＲＡＭ４０７、出力制御部４０９及び外部出力端子部１０４を介してプリンタ３０１に画像を出力する機能を有する。システムコントローラ４１０は、デジタルカメラ１０１の動作全体を制御する。
【００１９】
操作ボタン群２１０送りスイッチ２０５、２０６の操作に対応して、メモリーカード４０４に記録されている画像を順次読み出し、ＲＡＭ４０５に順次格納し、ＬＣＤモニタ２０２に順次表示する。従って、操作者は送りボタン２０５、２０６の操作を繰り返すことによって、メモリカード４０４に格納された画像から所望の画像を探し出し、ＬＣＤモニタ２０２に表示して鑑賞することが出来る。
【００２０】
プリンタ３０１には、デジタルカメラ１０１とＵＳＢケーブル３０２を介して接続するためのＵＳＢ端子４１７と、入力画像データに対して所定の処理を行う入力制御部４１１と、処理後のデータを格納するＲＡＭ４１２を備える。また、印字制御部４１３は、ＲＡＭ４１２からデータを読み出しながら画像データに従って印字ヘッド４１４を制御し、画像を紙へ転写する。紙送り機構部４１５は、印字制御部４１３からの情報に基づいて印字ヘッド４１４の走査に対応して紙を送り、印刷が完了すると紙を排出する。プリンタ３０１においては、システムコントローラ４２０の制御に従って印刷処理が行われる。操作部４１６は、プリンタ３０１に対して操作者が指示を与えるためのキー、ボタンや、プリンタ３０１の状態等を示すための表示装置が設けられる。
【００２１】
ここで、本実施形態におけるデジタルカメラ１０１の画像記録形式であるＪＰＥＧ２０００形式の画像ファイルについて、その特徴を説明する。ＪＰＥＧ２０００は従来のＪＰＥＧ方式に対して少ない画像劣化と高い圧縮率を実現可能である。すなわち、同じ画像データであれば、従来のＪＰＥＧ方式よりも圧縮率を高くしてデータサイズを小さく出来る。また、可逆圧縮に対応できること、画質や解像度にスケーラビリティがあること、などの特徴を有する。
【００２２】
さらに本発明において特に注目する特徴として、ＪＰＥＧ２０００にはＲＯＩ(Region of Interest)と呼ばれる機能がある。ＲＯＩとは、１画像中の特定の部分をそれ以外の部分と異なる圧縮率で符号化する方式を意味している（特許文献１参照）。例を挙げれば、例えば画像部分と文字部分が混在するプレゼンテーション資料をＪＰＥＧ２０００形式で圧縮する場合を考える。この場合、画像部分をＲＯＩ（低圧縮率）、高解像度の必要が低いテキスト部分は非ＲＯＩ（高圧縮率）として符号化すれば、画像部分の画質劣化が無いまま画像全体のサイズを小さく出来る。
【００２３】
ＲＯＩは符号化前に例えば操作部で画像の希望する領域を指定することにより操作者が指定し、符号化器は予め設定された条件で、ＲＯＩ及び非ＲＯＩ領域に対して圧縮符号化を行い、符号化画像データを生成する。ＪＰＥＧ２０００方式の符号化画像データのヘッダには、画像中のＲＯＩの位置、大きさ、数などの情報が含まれるマスク情報が記録される。そして、当該マスク情報を参照することにより、復号化時にＲＯＩを示す枠線（後述）をキャラクタジェネレータ４０８で生成することが可能である。
【００２４】
図６はＪＰＥＧ２０００形式の画像ファイル６０１の例を示している。画像中、破線で示した３箇所６０４，６０５，６０６がＲＯＩ指定され、それ以外の部分よりも高解像度を保って符号化されている。この例では、被写体の人物など関心の高い部分の圧縮率を下げ高解像度とし、背景の比較的関心の無い部分については圧縮率を高めて全体のデータサイズを縮小している。
【００２５】
なお、本実施形態におけるデジタルカメラ１０１は、撮影時に操作者がＬＣＤモニタ２０２及び操作ボタン群２１０を用いてＲＯＩを指定可能であるものとする。そして、圧縮／伸張回路４０２はこの指定に基づいてＪＰＥＧ２０００方式で圧縮符号化を行い、記録再生処理部４０３がメモリカード４０４に格納しているものとする。
【００２６】
次に、図５に示すフローチャートを用い、本実施形態におけるデジタルカメラ１０１が外部機器であるプリンタ３０１に画像を出力して印刷を行う際の処理手順について説明する。
【００２７】
この場合、デジタルカメラ１０１は再生モードに設定されている。ステップＳ５０１において、操作者の送りボタン操作に応答して、記録再生処理部４０３はメモリーカード４０４に記録されている画像を呼び出し、圧縮／伸張回路４０２に供給する。圧縮／伸張処理回路４０２は画像データを伸張し、スイッチ４０６を介してＲＡＭ４０５へ格納する。そして、ＲＡＭ４０５に格納された画像データはキャラクタジェネレータ４０８が生成するキャラクタと合成されてＬＣＤモニタ２０２に表示される。
【００２８】
この際、ＬＣＤモニタ２０２に表示する画像にＲＯＩ領域が含まれる場合、キャラクタジェネレータ４０８が図６に示したようにＲＯＩ領域を明示するための枠６０４、６０５、６０６を生成し、枠が合成された画像データが表示される。
【００２９】
操作者が確定ボタン２０７を押下すると、画像の送りがロックされる。そして、画像データにＲＯＩが含まれる場合にはキャラクタジェネレータ４０８がＲＯＩ領域選択カーソル枠６０３（図６）をさらに生成し、ＬＣＤモニタ２０２に合成表示する（ステップＳ５０２）。
【００３０】
表示中の画像がＲＯＩ領域を持たない画像である場合、確定ボタン２０７を押した段階で印刷対象としてＬＣＤモニタ２０２に表示されている画像が確定し、例えば直ちに印刷手続き（データ出力処理）を開始しても良い。ここでは、ＲＯＩ領域を持たない画像の印刷処理については説明を省略する。
【００３１】
ここでは、確定された画像にＲＯＩ領域が含まれ、そのうちの任意のＲＯＩ領域を印刷する際の処理について述べる。
【００３２】
ＲＯＩ指定された範囲を含む画像に対して確定ボタン２０７が押下された場合、送りボタン２０５、２０６は表示中の画像に含まれるＲＯＩ領域のいずれかを選択するためのキーとして機能するようになる。すなわち、送りボタン２０５、２０６の操作に対応して、カーソル枠６０３を画像中のＲＯＩ領域６０４，６０５，６０６に順次移動させる。そして、ＲＯＩ領域６０４，６０５，６０６を一巡したところでカーソル枠６０３を消して画像全体６０１を選択対象とする。
【００３３】
さらにボタンを操作して送り操作をすると、再びカーソル枠６０３が現れキャラクタで表示される「戻る」６０７が選択された状態となる。「戻る」６０７が選択された状態で確定ボタン２０７が押下されると、画像送りのロック状態が解除され、続く送りボタンの操作によって別の画像を順次表示する。
【００３４】
さて、このような操作により、操作者は印刷出力したいＲＯＩ領域をカーソル枠６０３によって選択する。ここでは、カーソル枠６０３が所望のＲＯＩ領域を示している状態，例えば今回はＲＯＩ領域６０４を選択し、確定ボタン２０７を押下して、選択したＲＯＩ領域６０４を印刷対象として確定したとする。操作部１０６の入力から、ＲＯＩ領域の選択確定を検出する（ステップＳ５０３）と、選択されたＲＯＩ領域６０４の画像データを圧縮／伸長回路４０２で抽出する。また、スイッチング回路４０６を切り替え、ＲＡＭ４０７にＲＯＩ領域の画像データを格納する（ステップＳ５０５）。
【００３５】
一方、ＲＯＩ領域の選択確定がなされずに、「戻る」６０７が選択された状態で確定ボタン２０７が押下されると（ステップＳ５０４）、画像選択状態に戻る。
【００３６】
そして、出力制御部４０９にて所定の印刷用データに変換し、ＵＳＢ端子である外部出力端子部１０４から出力する（ステップＳ５０６）。ＵＳＢケーブル３０２を通して印刷用データはカラープリンタ３０１へ伝送されるが、伝送エラーがあった場合（ステップＳ５０７、Ｙｅｓ）はステップＳ５０６へ戻って再送処理を行う。そして、送信すべきすべてのデータ送出が完了すると（ステップＳ５０８、Ｙｅｓ）と、ステップＳ５０３へ戻り、表示中の画像の次のＲＯＩ領域選択確定（もしくは画像選択への復帰）を待つ待機状態（ステップＳ５０３〜Ｓ５０４）となる。
【００３７】
なお、カーソル枠６０３の送り操作により、ＲＯＩを有する画像全体が選択対象となった状態で確定ボタン２０７が押下された場合には、画像全体が選択されたものとする。そして、ステップＳ５０５以降の処理を行い、画像全体のデータがカラープリンタ３０１へ出力される。
【００３８】
さて、プリンタ３０１へ送られた画像データは、入力制御部４１１にて所定の処理が行われたのち、ＲＡＭ４１２に格納される。印字制御部４１３は該画像データに従って印字ヘッド４１４を制御し、画像を紙へ転写する。また同時に、印字制御部４１３からの情報に基づいて紙送り機構部４１５を制御し、印字ヘッド４１４の走査に対応して紙を送り、印刷が完了すると紙を排出し、印刷が完了する。このようにして、ＲＯＩ領域６０４の印刷出力として画像６０２が得られる。
【００３９】
以上説明したように、本実施形態によれば、符号化時に指定された領域を簡単に確認及び選択することが可能であり、画像の一部分のみを外部機器へ出力したい場合であっても、画像全体を見ながら指定することが可能となる。
【００４０】
そのため、同一画像の複数の部分領域を連続して出力したい場合であっても、全体表示と部分表示とを繰り返すことなく指定可能であり、操作性が向上する。
【００４１】
＜他の実施形態＞
上述の実施形態においては、撮像、圧縮符号化及びメモリカードへの書き込み機能を有するデジタルカメラに本願発明を適用した場合を説明したが、本願発明に係るプリントシステムにこれら機能は必須ではない。
【００４２】
すなわち、本発明に係るプリントシステムは、画像中の特定領域が復号化時に判別可能であるように指定されている画像データを、特定領域の選択が可能なように再生可能であって、かつ選択された特定領域の画像データをプリント出力可能でありさえすれば、他の構成の有無は任意である。例えば、記録媒体から画像データを読み出す代わりに、ネットワーク経由や直接接続された外部装置から取得しても良い。
【００４３】
なお、上述の実施形態においては、出力インターフェイスとしてＵＳＢを用いた場合を説明した。しかし、出力インタフェースの種類は本発明と本質的に無関係であり、ＩＥＥＥ１３９４やＢｌｕｅｔｏｏｔｈなど、他の任意のインタフェースを使用可能である。
【００４４】
また操作部２１０の形式も任意であり、例えば十字キーやジョグダイヤル、ジョイスティック、タッチパネル等、ボタン以外を有していても構わない。
また、ＲＯＩ領域を表す指示表示として、枠６０４、６０５、６０６を例示したが、コーナー部分のみ枠を表示したり、領域内を点滅表示したり、輝度を変える等、領域を視覚的に表す任意の表示が利用可能である。
【００４５】
さらに、上述の実施形態においては、画像の符号化方式としてＪＰＥＧ２０００方式を用いた場合のみ説明したが、画像内の領域を復号化時に判別可能な形式により指定可能な符号化方式であれば、任意の符号化方式を用いることが可能である。また、本発明において、指定された領域と他の領域とで圧縮率等の符号化パラメータが異なっている必要はない。
【００４６】
尚、前述した実施形態の機能を実現するソフトウェアのプログラム（図５に示すフローチャートに対応したプログラム）を、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００４７】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００４８】
その場合、プログラムの機能を有していれば、オブジェクトコード、インタプリタにより実行されるプログラム、ＯＳに供給するスクリプトデータ等、プログラムの形態を問わない。
【００４９】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００５０】
有線／無線通信を用いたプログラムの供給方法としては、コンピュータネットワーク上のサーバに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバに配置することも可能である。
【００５１】
つまり、本発明の機能処理をコンピュータで実現するためのプログラムデータファイルを複数のユーザに対してダウンロードさせるサーバ装置も本発明に含む。
【００５２】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００５３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現され得る。
【図面の簡単な説明】
【００５５】
【図１】本発明の一実施形態としてのデジタルカメラの正面外観例を示す図である。
【図２】本発明の一実施形態としてのデジタルカメラの背面外観例を示す図である。
【図３】デジタルカメラ１０１と外部装置としてのプリンタ３０１とを接続した状態を示す外観図である。
【図４】図３の状態に対応した機能ブロック図である。
【図５】本発明の実施形態におけるデジタルカメラの画像データ出力処理を説明するフローチャートである。
【図６】ＪＰＥＧ２０００形式の画像とＲＯＩ領域、並びに本発明の実施形態においてなされる画像表示例と印刷結果を説明する図である。
【符号の説明】
【００５６】
１０１  デジタルカメラ
１０２  撮像部
１０３  シャッターボタン
１０４  出力端子部
１０５  ストロボ部
２０１  メモリーカード格納部＼
２０２  ＬＣＤモニタ
２０３  光学ファインダー部
２０４  撮影／再生切替スイッチ
２０５，２０６，２０７，２０８  操作ボタン
３０１  プリンタ装置
３０２  ＵＳＢケーブル
６０１  ＪＰＥＧ２０００画像
６０２  画像
６０３  カーソル枠
６０４，６０５，６０６  ＲＯＩ領域
【図１】
2006238458.tif 000003
【図２】
2006238458.tif 000004
【図３】
2006238458.tif 000005
【図４】
2006238458.tif 000006
【図５】
2006238458.tif 000007
【図６】
2006238458.tif 000008